(57)【要約】【課題】本人確認のセキュリティを確保しつつ、カード作成装置の設置場所の自由度を高め、利用者の負担を軽減する、ＩＤカード発行装置、及びＩＤカード発行システムを提供する。【解決手段】ＩＤカード発行装置１０は、入力側の装置として、撮像装置１１、ＩＤカードリーダ１２、及び更新申請書・スキャニング装置１３を備え、内部処理装置として、顔画像データ照合装置１４、個人情報照合装置１５、制御装置１６、及びデータベース１７を備え、出力側の装置として、表示装置１８、及びカード発行装置１９を備える。顔画像データ照合装置１４は、撮像された顔画像データとＩＤカードから読み取った顔画像データとを照合し、同一人物のものかを判別する。個人情報照合装置１５は、ＩＤカードから読み取った個人情報と更新申請書から読み取った個人情報とを照合し、一致するかを判別する。【選択図】        図１
2004314431.tif 000002
【特許請求の範囲】
【請求項１】
顔画像付きＩＤカードの更新発行を行うＩＤカード発行装置であって、
利用者の顔を撮像し、利用者の顔画像データを生成する撮像装置と、
利用者の更新前ＩＤカードに含まれる顔画像をスキャンして、前記更新前ＩＤカードの顔画像データを生成するスキャニング装置と、
前記利用者の顔画像データと、前記更新前ＩＤカードの顔画像データとを照合する顔画像データ照合装置と、
前記顔画像データ照合装置の照合結果を参照し、前記更新前ＩＤカードのデータに基づいて更新後ＩＤカードを発行するカード発行装置とを備えることを特徴とするＩＤカード発行装置。
【請求項２】
前記更新前ＩＤカードから読み出した利用者の個人情報と、利用者が作製した更新申請書の個人情報とを照合する個人情報照合装置を更に備え、前記カード発行装置は、前記個人情報照合装置による照合結果を更に参照する、請求項１に記載のＩＤカード発行装置。
【請求項３】
請求項１又は２に記載の複数のＩＤカード発行装置をローカル装置として備え、該ローカル装置と中央に設置されたサーバとを通信回線を介して接続したことを特徴とするＩＤカード発行システム。
【請求項４】
前記ローカル装置は、前記個人情報照合装置による照合結果に基づいて利用者の個人情報の変更データを抽出し、該抽出した変更データをサーバに送信する、請求項３に記載のＩＤカード発行システム。
【請求項５】
前記利用者の個人情報が、氏名、住所、生年月日、自筆サインの少なくとも１つを含む、請求項３又は４に記載のＩＤカード発行システム。
【発明の詳細な説明】
【０００１】
【発明の属する技術分野】
本発明は、顔画像付きＩＤカードの更新発行を行うＩＤカード発行装置、及びＩＤカード発行システムに関し、特に、本人確認のセキュリティを確保しつつ、カード作成装置の設置場所の自由度を高め、利用者の負担を軽減する、ＩＤカード発行装置、及びＩＤカード発行システムに関する。
【０００２】
【従来の技術】
顔画像付きＩＤカードの更新発行の手続きに際し、更新発行の申請者がＩＤカードを所持する資格を有する本人であることを確認する必要がある。このため、ＩＤカードの発行者は、本人の個人情報の確認を行う外に、本人の「顔」確認を行い、ＩＤカードを盗用した他人が本人になりすましてＩＤカードの更新を行う、いわゆる「なりすまし」犯罪を防止している。従来、顔確認は目視以外には有効な方法がなかったので、ＩＤカードの更新発行は一般的に、利用者に所定の取扱い窓口に出向いてもらい、窓口の担当者が利用者本人の顔確認を行っていた。
【０００３】
しかし、近年、ＩＤカードの増加に伴いＩＤカードの更新発行業務は益々増加し、ＩＤカードの発行を行う事業者は当該業務に多くの人員を配置しなければならなくなっている。従って、ＩＤカードの更新発行業務にかかるコストが上昇している。また、利用者にとっても、ＩＤカードの更新を受けるために、事業者の指定する営業時間内に所定の取扱い窓口に出向き、手続きのために多くの時間を費やすことは、時間的にも労力的にも大きな負担であった。
【０００４】
上記問題に対して特許文献１は、遠隔地のＩＤカード交付要求者がＩＤカード発行の本部に出向くことなく、交付要求者の属する地域の支部でＩＤカードを交付できるようにすると共に、本部におけるＩＤカードの発行作業を削減する、ＩＤカード発行の中央管理システムを提案している。図８は、同特許文献に記載のＩＤカード発行管理システムの構成を示す。
【０００５】
同特許文献によれば、ＩＤカード発行管理システム４０は、本部に制御装置４１、及びＩＤ情報データベース４２を備え、制御装置４１とＩＤ情報データベース４２とをデータバス４３で接続している。ＩＤ情報データベース４２には、初回のＩＤカード作成時に得られた交付要求者の顔画像データ、及び個人情報が格納される。
【０００６】
ＩＤカード発行管理システム４０は、また、複数の支部のそれぞれにＩＤカード作成システム４４を有し、本部の制御装置４１と支部のＩＤカード作成システム４４とは、通信回線４５によって接続されている。ＩＤカード作成システム４４は、交付要求者の顔写真を撮影して顔画像データを生成し、交付要求者の個人情報の入力を受け付けると共に、顔画像データ及び個人情報を、通信回線４５を介して、制御装置４１に送信する機能を有する。また、制御装置４１からの指令を受信して、ＩＤカードを発行する機能を有する。
【０００７】
ＩＤカード発行管理システム４０を利用したＩＤカード発行方法では、制御装置４１が、ＩＤカード作成システム４４から受信した顔画像データ、及び個人情報と、ＩＤ情報データベース４２から読み出された顔画像データ、及び個人情報とを照合することにより、本人確認を行う。そして、制御装置４１は、本人であることが確認された場合に、ＩＤカード作成システム４４に対してＩＤカード発行の指令を送信し、ＩＤカード作成システム４４がＩＤカードの発行を行う。
【０００８】
【特許文献１】
特開２０００−１１８１７１号公報（段落００１９〜００４２）
【０００９】
【発明が解決しようとする課題】
特許文献１に記載のＩＤカード発行管理システム４０は、顔画像データ及び個人情報の確認を本部で一元的に行うことにより、本人確認のセキュリティを確保しつつ、事業者及び利用者の双方の負担を軽減することができる。しかし、同特許文献に記載のＩＤカード発行管理システム４０では、制御装置４１が顔画像データ及び個人情報の照合を行う際に、本部のＩＤ情報データベース４２から情報を読み出す構成を有するので、本部と支部とを接続する通信回線４５が不可欠である。従って、ＩＤカード作成システム４４を通信回線４５に接続可能な場所に設置する必要があり、設置場所が制限されるという問題があった。
【００１０】
本発明は、上記に鑑み、本人確認のセキュリティを確保しつつ、カード作成装置の設置場所の自由度を高め、利用者の負担を軽減する、ＩＤカード発行装置、及びＩＤカード発行方法を提供することを目的とする。
【００１１】
【課題を解決するための手段】
上記目的を達成する本発明に係るＩＤカード発行装置は、顔画像付きＩＤカードの更新発行を行うＩＤカード発行装置であって、
利用者の顔を撮像し、利用者の顔画像データを生成する撮像装置と、
利用者の更新前ＩＤカードに含まれる顔画像をスキャンして、前記更新前ＩＤカードの顔画像データを生成するスキャニング装置と、
前記利用者の顔画像データと、前記更新前ＩＤカードの顔画像データとを照合する顔画像データ照合装置と、
前記顔画像データ照合装置の照合結果を参照し、前記更新前ＩＤカードのデータに基づいて更新後ＩＤカードを発行するカード発行装置とを備えることを特徴としている。
【００１２】
本発明に係るＩＤカード発行装置によれば、撮像装置によって撮像された利用者の顔画像データと更新前ＩＤカードの顔画像データとを照合する顔画像データ照合装置を備える。これにより、本人確認のセキュリティを確保しつつも、ＩＤカード発行装置単独でＩＤカードの更新発行の業務を行うことができるので、ネットワークへの接続を必要とすることもなく、ＩＤカード発行装置の設置場所の自由度を高めることができる。従って、より多くのＩＤカード発行装置を利用者にとってより便利な場所に設置することができ、利用者の労力を軽減することができる。
【００１３】
本発明の好適な実施態様では、前記更新前ＩＤカードから読み出した利用者の個人情報と、利用者が作製した更新申請書の個人情報とを照合する個人情報照合装置を更に備え、前記カード発行装置は、前記個人情報照合装置による照合結果を更に参照する。これにより、本人確認のセキュリティを更に高める。
【００１４】
本発明に係るＩＤカード発行システムは、複数のＩＤカード発行装置をローカル装置として備え、該ローカル装置と中央に設置されたサーバとを通信回線を介して接続したことを特徴としている。
【００１５】
本発明に係るＩＤカード発行システムによれば、ＩＤカード発行機能を有するローカル装置と、中央に設置されたサーバとを通信回線を介して接続することにより、ローカル装置で発行されたＩＤカード発行の情報を上記サーバで一元的に管理できる。
【００１６】
本発明は好適には、前記ローカル装置は、前記個人情報照合装置による照合結果に基づいて利用者の個人情報の変更データを抽出し、該抽出した変更データをサーバに送信する。これにより、上記サーバは、利用者の個人情報の変更データを管理できる。
【００１７】
本発明は好適には、前記利用者の個人情報が、氏名、住所、生年月日、自筆サインの少なくとも１つを含む。これらの個人情報の照合を行うことにより、本人確認のセキュリティを更に高める。尚、自筆サインの照合は、目視で行ってもよく、或いは所定の照合技術を利用して自動で行ってもよい。
【００１８】
【発明の実施の形態】
以下、図面を参照し、本発明の実施形態例に基づいて、本発明を更に詳細に説明する。図１は、本発明の実施形態例に係るＩＤカード発行装置を示すブロック図である。ＩＤカード発行装置１０は、利用者（更新申請者）の操作によってＩＤカードの自動更新発行を行う装置であって、例えば証明写真の撮影が可能なボックスとして構成される。ＩＤカードは、例えば図４に示すような本人の顔画像付きＩＤカードであって、利用者のカード番号、氏名、住所、及び生年月日等を記載事項とするものである。
【００１９】
図１に示すように、ＩＤカード発行装置１０は、入力側の装置として、撮像装置１１、ＩＤカードリーダ１２、及び更新申請書・スキャニング装置１３を備える。また、内部処理装置として、顔画像データ照合装置１４、個人情報照合装置１５、制御装置１６、及びデータベース１７を備える。更に、出力側の装置として、表示装置１８、及びカード発行装置１９を備える。
【００２０】
撮像装置１１は、利用者の顔写真撮影を行い、これを画像情報（顔画像データ）として生成する機能を有する。ＩＤカードリーダ１２は、利用者が持参した更新前ＩＤカードをスキャンして、更新前ＩＤカードに表示されている顔画像を画像情報（顔画像データ）として読み取る機能、及び更新前ＩＤカードの記載事項を文字情報として読み取る機能を有する。また、自筆サイン情報を画像情報（自筆サインデータ）として読み取る機能を有する。尚、ＩＤカードリーダ１２は、更新前ＩＤカードの記載事項として、更新前ＩＤカードに記録された電子情報を読み取ってもよい。
【００２１】
更新証明書・スキャニング装置１３は、更新申請書をスキャンして、個人情報を文字情報として読み取る機能を有する。更新申請書は、図５に一例を示すように、氏名、住所、生年月日などの個人情報、及び自筆サインなどを記載事項とし、住所などの個人情報に変更がある場合のチェック欄が設けられている。
【００２２】
顔画像データ照合装置１４は、顔照合技術により複数の顔画像データが同一人物のものかを自動で判別するコンパレータである。顔画像データ照合装置１４は、撮像装置１１で撮影された利用者の顔画像データと、更新前ＩＤカードから読み取った顔画像データとを照合し、同一人物のものかを自動で判別し、判別結果を制御装置１６に送信する。
【００２３】
個人情報照合装置１５は、文字情報が同一であるかどうかを自動で判別するコンパレータである。個人情報照合装置１５は、更新前ＩＤカードから読み取った個人情報と、更新申請書から読み取った個人情報とを照合し、一致するかどうかを自動で判別し、判別結果を制御装置１６に送信する。この場合、個人情報の一部の項目に変更がある場合には、当該項目については比較を行わずに、変更後の記載事項を制御装置１６に送信する。
【００２４】
制御装置１６は、顔画像データ照合装置１４及び個人情報照合装置１５から、顔画像データ照合及び個人情報照合の判別結果をそれぞれ受信し、顔画像データが同一人物のものであり、かつ個人情報が一致していると判別された場合には、カード発行装置１９にカード発行の指令を送信すると共に、カード発行装置１９に撮像装置１１で撮像した顔画像データ、及び個人情報を送信する。この場合、個人情報に変更がある場合には、変更後の個人情報をカード発行装置１９に送信する。データベース１７には、ＩＤカードが発行された利用者について、利用者毎に個人情報を格納する。
【００２５】
表示装置１８は、例えばタッチ式の液晶パネルとして構成され、制御装置１６の制御により必要事項を液晶パネル上に画面表示すると共に、利用者の入力を受け付ける。カード発行装置１９は、制御装置１６の指令を受信し、撮影された顔画像データ、及び個人情報に基づいて、新規のＩＤカードを発行する。
【００２６】
ＩＤカード発行装置１０の外観の一例を図６に示す。同図に示すＩＤカード発行装置１０は、椅子２１を備えたボックスの筐体２２、撮像装置１１、ＩＤカード挿入口１２ａ、更新申請書挿入口１３ａ、液晶パネル１８ａ、及びＩＤカード取出し口１９ａを有する。ＩＤカード挿入口１２ａ、更新申請書挿入口１３ａ、液晶パネル１８ａ、及びＩＤカード取出し口１９ａは、それぞれ、ＩＤカードリーダ１２、更新申請書・スキャニング装置１３、表示装置１８、及びカード発行装置１９の一部を成す。
【００２７】
図２及び図３は、本実施形態例に係るＩＤカード発行方法を示すフローチャートである。図２において、先ず、利用者はＩＤカード発行装置１０の所定の挿入口（ＩＤカード挿入口）に、更新前ＩＤカードを挿入し（ステップＳ１０１）、ＩＤカードリーダ１２が更新前ＩＤカードをスキャンして、更新前ＩＤカードに表示されている顔画像を画像情報（顔画像データ）として読み取ると共に、更新前ＩＤカードの記載事項を文字情報として読み取る（ステップＳ１０２）。
【００２８】
次に、利用者はＩＤカード発行装置１０の別の所定の挿入口（更新証明書挿入口）に、必要事項を記入した更新申請書を挿入し（ステップＳ１０３）、更新証明書・スキャニング装置１３がこれをスキャンして、個人情報、個人情報の変更事項を文字情報として読み取る（ステップＳ１０４）。
【００２９】
次いで、表示装置１８により、更新申請書から読み取った個人情報、及び個人情報の変更事項を画面に表示する（ステップＳ１０５）。利用者は、表示内容を確認して、誤りがなければ画面に対する操作により、次のステップＳ１０７に進む。誤りがあれば、ステップＳ１０１からステップＳ１０５までをやり直す（ステップＳ１０６）。
【００３０】
続いて、撮像装置１１は、利用者の写真撮影を行い、顔画像データを生成する（ステップＳ１０７）。次に、制御装置１６は、撮影された写真が証明写真に必要な所定の基準を満たしているか判別し、満たしている場合には、図３に示すフローに進む。満たしていない場合、ステップＳ１０７をやり直す（ステップＳ１０８）。
【００３１】
図３において、先ず、顔画像データ照合装置１４は、撮影された顔画像データと更新前ＩＤカードから読み取った顔画像データとを照合する（ステップＳ１０９）。双方の顔画像データが同一人物のものであると判別した場合にはステップＳ１１１に進み、同一人物のものでないと判別した場合には、表示装置１８によりＩＤカードの更新ができない旨を画面に表示した（ステップＳ１１６）後、全体のフローを終了する。
【００３２】
次いで、個人情報照合装置１５は、ＩＤカードリーダ１２で読み取った個人情報と、更新申請書・スキャニング装置１３で読み取った個人情報とを照合する（ステップＳ１１１）。双方の個人情報が一致する場合にはステップＳ１１１に進み、一致しない場合には、表示装置１８によりＩＤカードの更新ができない旨を画面に表示した（ステップＳ１１６）後、全体のフローを終了する。
【００３３】
続いて、ステップＳ１１３では、読み取った更新申請書に個人情報の変更事項がない場合には、制御装置１６はカード発行装置１９に対して、ＩＤカードの更新発行の指令を送信し、カード発行装置１９がＩＤカードの発行を行う（ステップＳ１１４）。制御装置１６は、同時に、ＩＤカードの発行を行った旨、及びＩＤカードの発行を行った利用者の個人情報をデータベース１７に記憶させ、全体のフローを終了する。読み取った更新申請書に個人情報の変更事項がある場合には、制御装置１６はその旨、及び変更前の個人情報と変更後の個人情報とをデータベース１７に記憶させた（ステップＳ１１５）後、ステップＳ１１４に移行する。
【００３４】
本実施形態例のＩＤカード発行装置１０によれば、顔画像データ照合装置１４が、撮影された顔画像データと更新前ＩＤカードから読み取った顔画像データとを照合し、同一人物のものかを判別する。また、個人情報照合装置１５が、更新前ＩＤカードから読み取った個人情報と、更新申請書から読み取った個人情報とを照合し、一致するかどうかを判別する。これにより、本人確認のセキュリティを確保しつつも、ＩＤカード発行装置１０単独でＩＤカードの更新発行の業務を行うことができるので、ネットワークへの接続を必要とすることもなく、ＩＤカード発行装置１０の設置場所の自由度を高めることができる。従って、より多くのＩＤカード発行装置１０を利用者にとってより便利な場所に設置することができ、利用者の労力を軽減することができる。
【００３５】
図７は、本発明の実施形態例に係るＩＤカード発行システムの構成を示すブロック図である。本実施形態例のＩＤカード発行システム３０は、センタに設置され、各利用者の個人情報を管理するセンタサーバ３１と、ＩＤカードの発行を行う複数のローカル装置３２とから構成されている。
【００３６】
ローカル装置３２は、出力側の装置として、外部入出力装置３３を更に備える。外部入出力装置３３は、各利用者の個人情報、及びＩＤカードの発行状況を管理するセンタに設置されたセンタサーバ３１と、有線又は無線の通信回線を介して接続されている。また、ＩＤカードリーダ１２、及び更新申請書・スキャニング装置１３は、それぞれ、自筆サインを画像情報（自筆サインデータ）として読み取る機能を更に有する。ローカル装置３２は、その他の構成については、実施形態例のＩＤカード発行装置１０と同様の構成を有している。
【００３７】
本実施形態例のＩＤカード発行システム３０を利用したＩＤカード発行方法では、ステップＳ１０２で、ＩＤカードリーダ１２は、自筆サインを更に画像情報（自筆サインデータ）として読み取る。また、ステップＳ１０４で、更新申請書・スキャニング装置１３は、自筆サインを更に画像情報（自筆サインデータ）として読み取る。ＩＤカードリーダ１２及び更新申請書・スキャニング装置１３でそれぞれ読み取られた自筆サインデータは、データベース１７に格納される。
【００３８】
本実施形態例のＩＤカード発行システム３０を利用したＩＤカード発行方法では、また、制御装置１６が、データベース１７に格納されている個人情報の変更事項を定期的に検索、抽出し、外部入出力装置３３が、抽出された個人情報の変更事項をセンタサーバ３１に送信する。この際に、ＩＤカード及び更新申請書からそれぞれ読み取られ、データベース１７に格納された自筆サインデータも、センタサーバ３１に送信される。センタサーバ３１では、ＩＤカードの発行前又は発行後に、双方の自筆サインデータを、専門の係官による目視で、或いは所定の照合技術を用いて自動で照合することにより、本人確認を行う。
【００３９】
本実施形態例に係るＩＤカード発行システム３０によれば、ＩＤカードの自動発行を行うローカル装置３２と、センタに設置されたセンタサーバ３１とを通信回線を介して接続する。そして、外部入出力装置３３が、定期的にデータベース１７に格納されている個人情報の変更事項を検索、抽出し、センタサーバ３１に送信することにより、ローカル装置３２で発行されたＩＤカード発行の情報をセンタサーバ３１で管理できる。また、ＩＤカード及び更新申請書から読み取った自筆サインデータを照合することにより、本人確認のセキュリティを更に高めることができる。
【００４０】
以上、本発明をその好適な実施形態例に基づいて説明したが、本発明のカード発行装置、及びＩＤカード発行システムは、上記実施形態例の構成にのみ限定されるものではなく、上記実施形態例の構成から種々の修正及び変更を施したカード発行装置、及びＩＤカード発行システムも、本発明の範囲に含まれる。
【００４１】
【発明の効果】
本発明に係るＩＤカード発行装置によれば、撮像装置によって撮像された利用者の顔画像データと更新前ＩＤカードの顔画像データとを照合する顔画像データ照合装置を備える。これにより、本人確認のセキュリティを確保しつつも、ＩＤカード発行装置単独でＩＤカードの更新発行の業務を行うことができるので、ネットワークへの接続を必要とすることもなく、ＩＤカード発行装置１０の設置場所の自由度を高めることができる。従って、より多くのＩＤカード発行装置を利用者にとってより便利な場所に設置することができ、利用者の労力を軽減することができる。
【００４２】
また、本発明に係るＩＤカード発行システムによれば、上記ＩＤカード発行機能を有するローカル装置と、中央に設置されたサーバとを通信回線を介して接続することにより、ローカル装置で発行されたＩＤカード発行の情報を上記サーバで一元的に管理できる。
【図面の簡単な説明】
【図１】実施形態例に係るＩＤカード発行装置の構成を示すブロック図である。
【図２】実施形態例に係るＩＤカード発行方法を示すフローチャートである。
【図３】実施形態例に係るＩＤカード発行方法を示すフローチャートである。
【図４】実施形態例に係るＩＤカードを示すイメージ図である。
【図５】実施形態例に係る更新申請書を示すイメージ図である。
【図６】実施形態例に係るＩＤカード発行装置の外観の一例を示す斜視図である。
【図７】実施形態例に係るＩＤカード発行システムの構成を示すブロック図である。
【図８】特許文献１に記載の顔画像入りカード発行の中央管理システムの構成を示す具ロック図である。
【符号の説明】
１０：実施形態例のＩＤカード発行装置
１１：撮像装置
１２：ＩＤカードリーダ
１２ａ：ＩＤカード挿入口
１３：更新申請書・スキャニング手段
１３ａ：更新申請書挿入口
１４：顔画像データ照合装置
１５：個人情報照合装置
１６：制御装置
１７：データベース（ＤＢ）
１８：表示装置
１８ａ：液晶パネル
１９：カード発行装置
１９ａ：ＩＤカードの取出し口
２０：（カード発行装置を構成するボックスの）筐体
２１：椅子
３０：実施形態例のＩＤカード発行システム
３１：センタサーバ
３２：ローカル装置
３３：外部入出力装置
４０：特許文献１に記載のＩＤカード発行管理システム
４１：制御装置
４２：ＩＤ情報データベース
４３：データバス
４４：ＩＤカード作成システム
【図１】
2004314431.tif 000003
【図２】
2004314431.tif 000004
【図３】
2004314431.tif 000005
【図４】
2004314431.tif 000006
【図５】
2004314431.tif 000007
【図６】
2004314431.tif 000008
【図７】
2004314431.tif 000009
【図８】
2004314431.tif 000010